(57)【特許請求の範囲】
【請求項１】
機器本体とユニットとの間の信号授受にシリアル信号線を用い、該シリアル信号線を介して前記機器本体と前記ユニット間の各種制御を行なうとともに、前記ユニットを省エネルギーモードに設定し且つ省エネルギー解除要求信号に基づき省エネルギーモードから通常動作モードへのモード移行を可能とした省エネルギー制御装置であって、
前記機器本体は、省エネルギーモードにおいて、前記機器本体から前記ユニットへ間欠的に供給される省エネルギー動作タイミング信号の出力端子として機能するシリアルデータ出力信号手段と、前記ユニットから前記機器本体へ供給される省エネルギー解除要求信号を受信する端子として機能するシリアルデータ入力手段と、前記シリアルデータ入力手段を介して入力される前記省エネルギー解除要求信号の監視を行なう制御手段を有し、
前記ユニットは、省エネルギーモードを解除する省エネルギートリガ信号を取り込み、前記省エネルギー動作タイミング信号の既定のタイミングで、前記省エネルギートリガ信号が入力された場合に、前記省エネルギー解除要求信号をイネーブルとし、前記制御手段に出力する省エネルギー制御部を有し、
省エネルギーモードにおいては、通常動作モード時の各種制御に用いる前記シリアルデータ出力信号手段のシリアルデータ出力信号端子を省エネルギー動作タイミング信号の出力端子として転用し、また通常動作モード時の各種制御に用いる前記シリアルデータ入力手段のシリアルデータ入力信号端子を省エネルギー解除要求信号の受信端子として転用し、且つ省エネルギーモードにおいて前記機器本体から前記ユニットへ供給されるシリアル同期クロックを停止させ、シリアル信号を使用せずに少ない信号線数で省エネルギーモードから通常動作モードへの復帰を実現することを特徴とする省エネルギー制御装置。
【請求項２】
請求項１の省エネルギー制御装置において、複数の解除要因がある場合には、それらの解除要因を論理和した信号が省エネルギー解除要求信号であることを特徴とする省エネルギー制御装置。
【請求項３】
請求項２の省エネルギー制御装置において、複数の情報から解除要因となる情報を選択可能にしたことを特徴とする省エネルギー制御装置。
【請求項４】
請求項２の省エネルギー制御装置において、複数の解除要因信号の各々のイネーブルとなる論理をプログラマブルに設定可能にしたことを特徴とする省エネルギー制御装置。
【請求項５】
請求項1の省エネルギー制御装置でのシリアルデータ方式が、スタートビットとそのスタートビット以降のデータが有効となる方式をとる場合において、省エネルギー解除時のクロック供給のタイミングでは、省エネルギー動作タイミング制御信号の論理がスタートビットの論理とは逆となるように制御されることを特徴とする省エネルギー制御装置。
【請求項６】
請求項１の省エネルギー制御装置において、省エネルギー動作タイミング信号は省エネルギー時に表示点灯する表示素子のダイナミック駆動信号であることを特徴とする省エネルギー制御装置。
【請求項７】
請求項１の省エネルギー制御装置において、発光部と受光部をもつ光センサーを備え、省エネルギー動作タイミング信号はこの光センサーの発光部のダイナミック駆動信号であると共に、受光部のセンサー信号の取込タイミング信号であることを特徴とする省エネルギー制御装置。
【発明の詳細な説明】
【０００１】
【発明の属する技術分野】
本発明は、システム本体と操作部などユニットとから構成されるファクシミリ装置などの電子装置において、待機状態では消費電力を節減することが可能な省エネルギー機能を持つユニット及びその制御に関する。
【０００２】
【従来の技術】
システム本体と操作部などユニットとから構成されるファクシミリ装置で、待機状態では操作部などユニットの消費電力を節減するようにしたものが、例えば、特開平８−２１４０９６号公報に示されるように知られている。
【０００３】
この従来の省エネルギー機能付きファクシミリ装置は、主制御手段と省エネ制御手段を有し、主制御手段により、通常状態では装置内の全ユニット（例えば、操作部、表示部、電装部など）を制御するとともに、省エネ制御手段の制御の内容を示す省エネ制御信号を送出する。また、省エネ制御手段により、主制御手段の主電源を遮断して省エネルギー状態に移行させ、かつ省エネルギー状態時に、ユーザによる省エネキーの押下、原稿のセット、受信時のリンギング信号、送信時のオフフック信号等の立ち上りトリガ信号によって省エネルギー状態から解除し、主制御手段に対して解除した要因を示す省エネ解除要因信号を送出するように構成されている。
【０００４】
これにより、本体側に設けられる主制御部と省エネ制御部とを用いることにより、システム全体の監視も行い、種々の信号に応じて電源の供給を制御することができる。
【０００５】
【発明が解決しようとする課題】
しかし、この従来のファクシミリ装置では、本体側とユニット側との間で授受される、ユニット制御信号と省エネルギー解除要因発生トリガ信号が別の信号ラインとなっており、本体とユニットとの接続信号本数が多くなってしまう。また、省エネルギーを実現するために主電源を制御するが、同じユニットに対して主電源で動作する部分と省エネルギー電源で動作する部分が必要となる。また、電源も主電源と省エネルギー電源の２種類を供給する必要があり、接続信号本数が増えるという問題もある。
【０００６】
本発明は、システム本体と操作部などユニットとから構成される電子装置において、１種類の電源で、かつ少ないインターフェイス信号線数でユニットの省エネルギー機能を実現すること、省エネルギーを解除する要因が複数あっても少ないインターフェイス信号線数でシステム本体に通知すること、複数の情報から必要な情報（要因）だけで省エネルギーを解除できるようにすること、などを可能にする省エネルギー制御装置を提供することを目的とする。
【０００７】
【発明を解決するための手段】
本発明の請求項１記載の省エネルギー制御装置は、機器本体とユニットとの間の信号授受にシリアル信号線を用い、該シリアル信号線を介して前記機器本体と前記ユニット間の各種制御を行なうとともに、前記ユニットを省エネルギーモードに設定し且つ省エネルギー解除要求信号に基づき省エネルギーモードから通常動作モードへのモード移行を可能とした省エネルギー制御装置であって、
前記機器本体は、省エネルギーモードにおいて、前記機器本体から前記ユニットへ間欠的に供給される省エネルギー動作タイミング信号の出力端子として機能するシリアルデータ出力信号手段と、前記ユニットから前記機器本体へ供給される省エネルギー解除要求信号を受信する端子として機能するシリアルデータ入力手段と、前記シリアルデータ入力手段を介して入力される前記省エネルギー解除要求信号の監視を行なう制御手段を有し、
前記ユニットは、省エネルギーモードを解除する省エネルギートリガ信号を取り込み、前記省エネルギー動作タイミング信号の既定のタイミングで、前記省エネルギートリガ信号が入力された場合に、前記省エネルギー解除要求信号をイネーブルとし、前記制御手段に出力する省エネルギー制御部を有し、
省エネルギーモードにおいては、通常動作モード時の各種制御に用いる前記シリアルデータ出力信号手段のシリアルデータ出力信号端子を省エネルギー動作タイミング信号の出力端子として転用し、また通常動作モード時の各種制御に用いる前記シリアルデータ入力手段のシリアルデータ入力信号端子を省エネルギー解除要求信号の受信端子として転用し、且つ省エネルギーモードにおいて前記機器本体から前記ユニットへ供給されるシリアル同期クロックを停止させ、シリアル信号を使用せずに少ない信号線数で省エネルギーモードから通常動作モードへの復帰を実現することを特徴とする。
【０００８】
請求項１の省エネルギー制御装置においては、ユニットに対するクロックの供給を停止しているので、省エネルギーモードでの消費電力を少なくすることが出来る。また、シリアルデータ入力信号が省エネルギーモードでは、省エネルギー解除要求信号を兼ねるので、インターフェイス信号線数を少なくすることができる。また、シリアルデータ出力信号端子が省エネルギーモードではダイナミックタイミング信号端子を兼ねるので、インターフェイス信号線数を少なくすることが出来る。
【００１１】
本発明の請求項２記載の省エネルギー制御装置は、請求項１の省エネルギー制御装置において、複数の解除要因がある場合には、それらの解除要因を論理和した信号が省エネルギー解除要求信号であることを特徴とする。
【００１２】
請求項２の省エネルギー制御装置においては、複数の省エネルギー解除要因を一本の信号に論理和（オア）出力するのでインターフェイス信号線数を少なくすることができる。
【００１３】
本発明の請求項３記載の省エネルギー制御装置は、請求項２の省エネルギー制御装置において、複数の情報から解除要因となる情報を選択可能にしたことを特徴とする。
【００１４】
請求項３の省エネルギー制御装置においては、解除要因を任意に設定できるので、解除要因に制限がなく、条件、システムに適した省エネルギー制御を行うことができる。
【００１５】
本発明の請求項４記載の省エネルギー制御装置は、請求項２の省エネルギー制御装置において、複数の解除要因信号の各々のイネーブルとなる論理をプログラマブルに設定可能にしたことを特徴とする。
【００１６】
請求項４の省エネルギー制御装置においては、解除要因の論理を任意に設定できるので、解除要因の回路に制限がなく、追加回路なしに解除要因として取り込むことができる。
【００１９】
本発明の請求項５記載の省エネルギー制御装置は、請求項１の省エネルギー制御装置でのシリアルデータ方式が、スタートビットとそのスタートビット以降のデータが有効となる方式をとる場合において、省エネルギー解除時のクロック供給のタイミングでは、省エネルギー動作タイミング制御信号の論理がスタートビットの論理とは逆となるように制御されることを特徴とする。
【００２０】
請求項５の省エネルギー制御装置においては、省エネルギー動作タイミング制御信号が、省エネルギーモード解除のクロック供給タイミングではスタートビットと逆の論理に制御されるので、誤動作を防ぐことが出来る
【００２１】
本発明の請求項６記載の省エネルギー制御装置は、請求項１の省エネルギー制御装置において、省エネルギー動作タイミング信号は省エネルギー時に表示点灯する表示素子のダイナミック駆動信号であることを特徴とする。
【００２２】
請求項６の省エネルギー制御装置においては、消費電力の大きい発光ダイオード（ＬＥＤ）などの表示素子をダイナミックタイミング信号で点灯制御するので、消費電力を少なくすることが出来る。
【００２３】
本発明の請求項７記載の省エネルギー制御装置は、請求項１の省エネルギー制御装置において、発光部と受光部をもつ光センサーを備え、省エネルギー動作タイミング信号はこの光センサーの発光部のダイナミック駆動信号であると共に、受光部のセンサー信号の取込タイミング信号であることを特徴とする。
【００２４】
請求項７の省エネルギー制御装置においては、ダイナミックタイミング信号で光センサーの発光部（ＬＥＤなど）を点灯制御するとともに、受光部からのセンサー入力のタイミング制御を行うので、少ない消費電力で光センサーの制御を行うことができる。
【００２５】
【発明の実施の形態】
本発明の実施例について、図を参照して、説明する。図１は本発明を適用した省エネルギー機能付き電子装置の構成図を示すものであり、図２は通常動作モードにおけるタイミングチャートを示す図であり、図３は省エネルギーモードにおけるタイミングチャートを示す図であり、図４はフローチャートであり、図５はセンサー信号取り込みタイミングを示す図である。
【００２６】
図１において、省エネルギー機能付き電子装置として、システム本体１０とユニットとしての操作部２０でシステム構成される、たとえばファクシミリ装置を例に説明する。なお、操作部２０は任意の複数とすることができる。
【００２７】
システム本体１０はＣＰＵ１１、シリアルＩ／Ｆ１２およびＭＵＰＸａ１３を有している。
【００２８】
ＣＰＵ１１は、本システムの全体制御を行うプロセッサであり、シリアルＩ／Ｆ１２は出力されるデータをシリアルデータに変換するとともに、入力されるシリアルデータ入力信号ＳＩＤをパラレルデータに変換する直列・並列、並列・直列変換部である。ＭＵＰＸａ１３は、通常動作モードではシリアルＩ／Ｆ１２から出力されたシリアルデータを選択し、省エネルギーモードではＣＰＵ１１から出力された省エネルギー動作タイミング信号（ダイナミックタイミング信号）を選択して、シリアルデータ出力信号端子に、シリアルデータ出力信号ＳＯＤを出力するマルチプレクサである。また、シリアルＩ／Ｆ１２からは、シリアル同期クロックＳＣＫが出力される。
【００２９】
そして、システム本体１０からシリアルデータ出力信号ＳＯＤおよびシリアル同期クロックＳＣＫが操作部２０に、また操作部２０からシリアルデータ入力信号ＳＩＤがシステム本体１０にそれぞれの信号線を介して供給される。これらがシステム本体１０と操作部２０間のインターフェイス信号である。
【００３０】
操作部２０は、省エネルギー制御部２１，シリアルＩ／Ｆ２２，ＭＵＰＸｂ２３，ＭＵＰＸｃ２４，表示ＬＥＤ２５，光センサーＬＥＤ２６，光センサー受光部２７，キー群２８を有している。
【００３１】
省エネルギー制御部２１は、省エネルギーモードでの各種のセンサー信号のダイナミックな取り込みや、キーデータの取り込みを行い、省エネルギー解除要因が発生するとシステム本体１０側に省エネルギー解除要求信号ＥＯＳを発生する。省エネルギー解除要因としては、複数の情報から任意の情報を選択することが可能で、選択された情報則ち省エネルギー解除要因の一つでもイネーブルになると省エネルギー解除要求信号ＥＯＳを発生させる。
【００３２】
また、省エネルギー制御部２１では、複数の解除要因信号の各々のイネーブルとなる論理をプログラマブルに設定可能にし、解除要因の論理を任意に設定する。これにより、解除要因の回路に制限がなく、追加回路なしに解除要因として取り込むことができる。
【００３３】
シリアルＩ／Ｆ２２は、シリアル同期クロックＳＣＫ、シリアルデータ出力信号ＳＯＤをシステム本体１０から受け、またキーデータなどのセンサーデータを受けて、表示データ及びコマンドデータ等を出力する直列・並列、並列・直列変換部である。
【００３４】
光センサーＬＥＤ２６・光センサー受光部２７から構成される原稿セットを検出する光センサー及びキー群２８は、省エネルギーモード解除要因を発生するブロックとして機能する。
【００３５】
ＭＵＰＸｂ２３は、表示ＬＥＤ２５や光センサーＬＥＤ２６の点灯を、通常動作モードではシステム本体１０側からの制御データで行い、省エネルギーモードでは同じくダイナミックタイミング信号で行うように選択するマルチプレクサである。
【００３６】
ＭＵＰＸｃ２４は、シリアルデータ入力信号ＳＩＤ端子に、通常動作ではシリアルの制御データを、省エネルギーモードでは省エネルギー解除要求信号を出力するマルチプレクサである。
【００３７】
なお、図１では表示ＬＥＤ２５，光センサーＬＥＤ２６・光センサー受光部２７，キー群２８を操作部２０に設けることとしているが、これらを操作部２０の外部に配置し、信号を入出力するように構成しても良い。
【００３８】
さて、このように構成されている省エネルギー機能付き電子装置の制御方式について、タイミングチャート及びフローチャートを参照して、説明する。
【００３９】
通常動作モードでは、図２のタイミングチャートを参照して、システム本体１０側から操作部２０側にシリアルデータ出力信号ＳＯＤでコマンド情報としての制御データが供給され、シリアル同期クロックＳＣＫに同期して取り込まれる。このコマンドは、省エネルギーモード設定や解除要因選択などのユニット制御情報や、表示ＬＥＤ２５の点灯制御情報等である。また、操作部２０側からのユニット状態情報やキー入力情報等のステータスとしての制御データがシリアルデータ入力信号でステータス情報としての制御データが供給され、シリアル同期クロックＳＣＫに同期して取り込まれる。
【００４０】
この制御データのデータ方式は、スタートビット（例えば、図２では３ビットの「１」）に続いてシリアルデータ（Ｄ０〜Ｄ７）の出力／入力が行われる。
【００４１】
省エネルギーモード時のタイミングチャートを図３に示す。シリアルデータ出力信号ＳＯＤの省エネルギーモードを指示するコマンドのセットにより、操作部２０は省エネルギーモードに入る。
【００４２】
省エネルギーモードでは、システム本体１０と操作部２０のシリアルデータ出力信号ＳＯＤ端子は消費電力を押さえるためのダイナミックタイミング信号端子として機能し、またシリアルデータ入力信号ＳＩＤ端子はシステム本体１０で省エネルギーモードの解除条件を検出したときにシステム本体１０に通知するための省エネルギー解除要求信号端子として機能する。
【００４３】
省エネルギーモードに入ると、システム本体１０は、操作部２０内部のロジック部の消費電力を少なくするために、シリアル同期クロックＳＣＫを停止させる。操作部２０内部のロジック部はＣ−ＭＯＳなどの半導体回路で構成されており、クロックの供給を停止させることで消費される電力が大きく減少できる。
【００４４】
この省エネルギーモードの状態で、システム本体１０のＣＰＵ１１は、操作部２０にシリアルデータ出力信号ＳＯＤとしてダイナミックタイミング信号ＤＴの送出を行うとともに、操作部２０からシリアルデータ入力信号ＳＩＤとして送られてくる省エネルギー解除要求信号ＥＯＳの監視を行う。
【００４５】
ダイナミックタイミング信号ＤＴは、省エネルギー動作タイミング信号であり、表示用ＬＥＤ２５や光センサーＬＥＤ２６を通常動作時のようにスタティックに駆動すると消費電力が大きくなるため、省エネルギーモードでの消費電力をさらに小さくするために間欠的に供給されるものである。このダイナミックタイミング信号ＤＴで、表示用ＬＥＤ２５や光センサーＬＥＤ２６をダイナミックに点灯制御することにより、表示或いはセンサーとしての機能を維持しながら、消費電力を低減している。
【００４６】
同時に、省エネルギーモードの状態で、光センサーＬＥＤ２６・光センサー受光部２７で構成される光センサーが原稿セットを感知したこと、キー群２８のいずれかのキーが操作されたことなどセンサーの状態を監視し、その入力信号を取り込む必要がある。
【００４７】
このセンサー入力信号の取り込みは省エネルギー制御部２１で行われる。図５を参照して、センサー入力信号ＳＳをダイナミック信号ＤＴの立ち下がりで行い、ダイナミック信号ＤＴの立ち下がり時にいずれかのセンサーのセンサー入力信号がある場合に、それを取り込んでラッチし、省エネルギー解除要求信号ＥＯＳをイネーブルにする。省エネルギー制御部２１で、省エネルギー解除要求信号ＥＯＳがイネーブルになると、ＭＵＰＸｃ２４を介してシステム本体１０に供給される。
【００４８】
システム本体１０では、省エネルギー解除要求信号ＥＯＳがイネーブルになったことにより、ＣＰＵ１１がシリアル同期クロックＳＣＫの供給を再開するとともに、シリアルデータ入力信号ＳＩＤを省エネルギー解除コマンドとして操作部２０に供給し、省エネルギーモードを解除して通常動作モードに戻す。
【００４９】
ここで、シリアル同期クロックＳＣＫの供給を再開する場合は、シリアルデータ出力信号ＳＯＤであるダイナミックタイミング信号ＤＴの論理が、スタートビットの論理と一致していると間違ったデータの送受が行われるので、シリアル同期クロックＳＣＫの供給再開の場合には、強制的にダイナミックタイミング信号の論理をスタートビットと逆の論理となるように制御する。則ち、シリアル同期クロックＳＣＫの供給再開時には、ダイナミックタイミング信号ＤＴを出力しないようにすればよい。逆に、ダイナミックタイミング信号ＤＴが出力される状態では、シリアル同期クロックＳＣＫが供給再開されることはない。
【００５０】
以上の動作を図４のフローチャートで見ると、先ず、ステップＳ１で、通常動作モードか省エネルギーモードかを判定する。
【００５１】
省エネルギーモードであった場合には、ステップＳ２に進み、省エネルギーモード設定コマンドの出力、省エネルギーモード解除要因の選択、各省エネルギーモード解除要因のイネーブル論理の設定を行う。併せて、シリアルデータ出力信号ＳＯＤを省エネルギー動作タイミング信号則ちダイナミックタイミング信号ＤＴとし、シリアルデータ入力信号ＳＩＤを省エネルギー解除要求信号ＥＯＳとして位置づける。
【００５２】
ステップＳ３で、シリアル同期クロックＳＣＫの供給を停止し、省エネルギー状態にはいる。
【００５３】
ステップＳ４で、シリアルデータ出力信号ＳＯＤとして省エネルギー動作タイミング信号則ちダイナミックタイミング信号ＤＴを間欠的に出力し、表示ＬＥＤ２５及び光センサーＬＥＤ２６を点灯させる。
【００５４】
ステップＳ５で、省エネ解除要求信号の発生を監視し、この発生がない間はステップＳ４，Ｓ５を繰り返す。
【００５５】
ステップＳ６で、ステップＳ５での省エネ解除要求信号の発生を受けて、シリアル同期クロックＳＣＫの供給を再開し、省エネルギーモード解除コマンドを出力して、通常動作モードに戻る。
【００５６】
以上のように、システム本体１０と操作部（ユニット）２０とから構成される電子装置において、１種類の電源で、かつ少ないインターフェイス信号線数でユニットの省エネルギー機能を実現することができる。
【００５７】
【発明の効果】
請求項１の省エネルギー制御装置においては、ユニットに対するクロックの供給を停止しているので、省エネルギーモードでの消費電力を少なくすることが出来る。また、シリアルデータ入力信号が省エネルギーモードでは、省エネルギー解除要求信号を兼ねるので、インターフェイス信号線数を少なくすることができる。また、シリアルデータ出力信号端子が省エネルギーモードではダイナミックタイミング信号端子を兼ねるので、インターフェイス信号線数を少なくすることが出来る。
【００５９】
請求項２の省エネルギー制御装置においては、複数の省エネルギー解除要因を一本の信号に論理和（オア）出力するのでインターフェイス信号線数を少なくすることができる。
【００６０】
請求項３の省エネルギー制御装置においては、解除要因を任意に設定できるので、解除要因に制限がなく、条件、システムに適した省エネルギー制御を行うことができる。
【００６１】
請求項４の省エネルギー制御装置においては、解除要因の論理を任意に設定できるので、解除要因の回路に制限がなく、追加回路なしに解除要因として取り込むことができる。
【００６３】
請求項５の省エネルギー制御装置においては、省エネルギー動作タイミング制御信号が、省エネルギーモード解除のクロック供給タイミングでは、スタートビットと逆の論理に制御されるので、誤動作を防ぐことが出来る
【００６４】
請求項６の省エネルギー制御装置においては、消費電力の大きい発光ダイオード（ＬＥＤ）などの表示素子をダイナミックタイミング信号で点灯制御するので、消費電力を少なくすることが出来る。
【００６５】
請求項７の省エネルギー制御装置においては、ダイナミックタイミング信号で光センサーの発光部（ＬＥＤなど）を点灯制御するとともに、受光部からのセンサー入力のタイミング制御を行うので、少ない消費電力で光センサーの制御を行うことができる。
【図面の簡単な説明】
【図１】本発明を適用した省エネルギー機能付き電子装置の構成図を示す図。
【図２】通常動作モードにおけるタイミングチャート。
【図３】省エネルギーモードにおけるタイミングチャート。
【図４】省エネルギーモードのフローチャート。
【図５】センサー信号取り込みタイミングを示す図。
【符号の説明】
１０  システム本体
１１  ＣＰＵ
１２  シリアルＩ／Ｆ
１３  ＭＵＰＸａ
２０  操作部（ユニット）
２１  省エネルギー制御部
２２  シリアルＩ／Ｆ
２３  ＭＵＰＸｂ
２４  ＭＵＰＸｃ
２５  表示ＬＥＤ
２６  光センサーＬＥＤ
２７  光センサー受光部
２８  キー群
ＳＯＤ  シリアルデータ出力信号
ＳＣＫ  シリアル同期クロック
ＳＩＤ  シリアルデータ入力信号
ＥＯＳ  省エネルギー解除要求信号
ＤＴ  ダイナミックタイミング信号
【図１】
0003775961.tif 000002
【図２】
0003775961.tif 000003
【図３】
0003775961.tif 000004
【図４】
0003775961.tif 000005
【図５】
0003775961.tif 000006